(57)【要約】【課題】標本作製中に検体を移し替える手間が不要で、検体を所定の位置と方向を維持して包埋し、薄切することが可能な、作業の省力化と迅速化を図るとともに、検査精度に優れた医療検査用カセットを提供する。【解決手段】  カセット本体１内に、検体１５を載置した検体載置シート２７を収容し、該検体載置シート２７の上部にポリウレタンからなる押さえシート２９を配置した後、蓋体２を被着した状態で薬液処理を施し、前記検体１５を載置した検体載置シート２７をトレイ１６内に収容し、該トレイ１６にカセット本体１を載せ、カセット本体１が液状パラフィンに浸るまで液状パラフィン１７を注ぎ足し固化させてカセットブロック１８を作製し、次いで、前記検体載置シート２７を剥離除去して検体１５を包埋したカセットブロック１８とし、これを薄切して医療検査用検体薄片を製造する。【選択図】図７
2006220588.tif 000002
【特許請求の範囲】
【請求項１】
上面を開放し、多数の透孔を有する方形の容器からなるカセット本体と、多数の透孔を有し前記カセット本体と着脱自在に係合する蓋体とからなる医療検査用カセットのカセット本体内に、検体を載置した検体載置シートを収容した後、蓋体を被着した状態で薬液処理を施し、前記検体を載置した検体載置シートをトレイ内に置き、該トレイにカセット本体を載せ、カセット本体が液状パラフィンに浸るまで液状パラフィンを注ぎ足し固化させてカセットブロックを作製し、次いで、前記検体載置シートを剥離除去して検体を包埋したカセットブロックとし、これを薄切することを特徴とする医療検査用検体薄片の製造方法。
【請求項２】
検体載置シートが液透過性である請求項１記載の医療検査用検体薄片の製造方法。
【請求項３】
液透過性の検体載置シートが多孔性フィルム、発泡樹脂シート、紙、織布、不織布から選ばれるる請求項２記載の医療検査用検体薄片の製造方法。
【請求項４】
検体載置シートが透明の多孔性フィルムからなる請求項１〜３のいずれか１項に記載の医療検査用検体薄片の製造方法。
【請求項５】
検体載置シートが複数個に区画されている請求項１〜４のいずれか１項に記載の医療検査用検体薄片の製造方法。
【請求項６】
検体載置シートの上部に液透過性の押さえシートが配備されている請求項１〜５のいずれか１項に記載の医療検査用検体薄片の製造方法。
【請求項７】
検体載置シートの上部に液透過性の押さえシートを配備するとともに、下部に支持シートを配備して薬液処理を行う請求項１〜６のいずれか１項に記載の医療検査用検体薄片の製造方法。
【請求項８】
液透過性の押さえシートが発泡樹脂シート、紙、多孔性シート、織布、不織布から選ばれる請求項６又は７記載の医療検査用検体薄片の製造方法。
【請求項９】
支持シートが紙、多孔性フィルム、織布、不織布、発泡樹脂シートから選ばれる請求項７記載の医療検査用検体薄片の製造方法。
【請求項１０】
検体を載置した検体載置シートをトレイ内に置く前に、予め少量の液体パラフィンをトレイ内に入れておく請求項１〜９のいずれか１項に記載の医療検査用検体薄片の製造方法。
【請求項１１】
検体を載置した検体載置シートを支持シートとともにトレイ内に置き、パラフィン内に検体を載置した検体載置シートと支持シートを含むカセットブロックを作製し、次いで、前記検体載置シートと支持シートとを剥離除去して検体を包埋したカセットブロックとし、これを薄切する請求項７記載の医療検査用検体薄片の製造方法。
【発明の詳細な説明】
【技術分野】
【０００１】
本発明は、医療検査用顕微鏡標本の作製に使用する検体薄片の製造方法に関し、更に詳しくは、標本作製中に検体を移し替える手間が不要で、検体を所定の位置と方向を維持したまま包埋し、薄切することが可能な、作業の省力化と迅速化を図るとともに、検査精度に優れた医療検査用検体薄片の製造方法に関する。
【背景技術】
【０００２】
従来のこの種の医療検査用検体薄片の製造に用いられるカセットとしては、例えば、図１９、図２０に示すように、耐薬品性合成樹脂からなるカセット本体１と蓋体２とを具備してなる（例えば、特許文献１参照）。
カセット本体１は、上面を開放した方形の容器で、底部に多数の透孔３を有し、短辺側の一側壁の外側に底部に向かって末広がり状に傾斜した板状の記録部４を設け、その内側に係止溝５を有し、他の側壁の外側に係止部６を有する。
【０００３】
蓋体２は、着脱可能な板状体で、板面に多数の透孔７を有し、裏面の外周面に沿ってカセット本体１内に嵌合するリブ８を有し、短辺側の一方側には前記係止溝５の記録部４の裏面に沿って嵌入係合する傾斜状係止片９を有し、短辺側の他方側にはカセット本体１よりも僅かに大き目の突縁部１０を有し、係合部６と係合する係止片１１を有している。
このようなカセットは、例えば、図２２〜図２４に示すように、複数個の検体を同時に処理する場合には、縦方向及び／又は横方向の仕切壁１２により複数個（図２２〜図２４では６個）の小室を形成したものが使用されている。図示したカセットでは、カセット本体１を区画する仕切壁１２が蓋体２の裏面に突出したリブ８ａ、８ｂにより挟着されている。
【０００４】
上記の如く、例えば、６個の小室を有するカセットを使用して顕微鏡標本を作製するには、まず、図２１に示すように、バット１３の底面に濾紙１４を敷き、この濾紙の上に採取した検体（組織片）１５を所定の方向（例えば、上皮側が上部に向くように等）に載置する。
【０００５】
次いで、図２２〜図２４に示すように、ピンセットにより検体１５を濾紙１４から引き離し、検体１５をカセット本体１の各小室内に収容して蓋体２を取り付け、記録部４に被検者の氏名等を記録しておく。蓋体２の傾斜状係止片９は、カセット本体１の係止溝５に係合し、また係止片１１はカセット本体１の係止部６に係合して蓋体２を固定する。
【０００６】
続いて、透孔７、３を通じて、検体１５を水洗し、次いでアルコールにより検体１５の水分を除去し、キシレンにより後述する液状パラフィンとの親和性を付与する。
【０００７】
次に、図２５に示すように、ステンレス製トレイ１６内に液状パラフィン１７を少量（図２５のラインＡの程度まで）入れ、検体１５をカセット本体１から取り出して液状パラフィン１７中に置いて検体１５に液状パラフィンを浸透させる。続いて、トレイ１６の段部にカセット本体１を載せ、カセット本体１の底部が液状パラフィン１７に浸るまで、液状パラフィン１７を検体１５上に注ぎ足す。
【０００８】
液状パラフィン１７が固化した後トレイ１６を取り去ることにより、検体１５を包埋したパラフィン１７がカセット本体１の底部に付着してなるカセットブロック１８（図２６参照）を得る。
【０００９】
次に、図２６に示すように、ミクロトーム１９上に装着したアダプター２０の基台２１上にカセットブロック１８を裏返して載せ、固定する。アダプター２０は、レバー２２の操作により、基台２１に設けた固定腕２３と可動腕２４との間にカセット本体１を挟持して固定する。その際、カセット本体１が記録部４の傾斜により浮き上がるのを防止するため、両腕２３、２４の先端に形成した係止爪２５がカセット本体１の底部の角に係合する。続いて、パラフィン１７の検体１５を包埋した部分を矢印ａ方向にスライスし、図２７に示すように、検体１５の薄片２６が得られる。この得られた薄片２６に染色、その他の所定の処理を施すことにより顕微鏡標本を得るのである。
【特許文献１】特開２００１−３２４４２８号公報（図１３、図１０）
【発明の開示】
【発明が解決しようとする課題】
【００１０】
しかしながら、上記方法では、採取した検体を濾紙から引き離して、カセット本体の小室内に収容する必要があり、また、この際に、例えば、検体を上皮側を上に向けるか下に向けるか、又は右に向けるか左に向けるか等を考慮して収容したとしても、続いて行われる薬液処理において方向が変わる虞れがある。
【００１１】
更に、薬液処理が終わると、検体を再びピンセットによりカセット本体の小室内から取り出し、トレイ内に入れられた液状パラフィンの上に置く必要がある。この場合においても、検体の方向等を考慮しながらパラフィン上に置かれる場合がある。
【００１２】
以上のように、従来の方法では、検体採取から標本作製までの間に、検体の移し替えを２度行う必要があるが、微小検体をピンセットを操作して、濾紙からカセット本体内に、カセット本体内からパラフィン上にと２度も移し替える作業は極めて煩雑で、手間と時間を要する。しかも、検体の方向を考慮する場合は尚更煩雑となり、その作業性の低下は避けられない。
【００１３】
また、この移し替えの際に検体の順番、配列を間違えたりした場合には、折角の検査結果が無意味となり、検査の信頼性が大きく損なわれることになる。
【００１４】
更に、検体が濾紙やカセット本体に強く付着している場合には、ピンセットで検体をむりやり引き離すことになり、その結果、検体に濾紙の繊維片が付着したり、また、検体を損傷し、台無しにする虞れもある。
【００１５】
本発明はかかる実情に鑑み、上記従来技術の問題点を解決するもので、検体を検体載置シート上に載置し、検体を該シート上から移し替えることなく、そのままカセット本体内及びトレイ内に置くことにより、上記問題点が一挙に解消され、大巾な省力化と作業の迅速化とが達成されるとともに、検体移し替えの際における並べる順番、配列のミスやピンセットにより濾紙やカセット本体からの引き離しの際の検体の損傷等が防止され、検査精度が向上し信頼性が高められることを見出し、本発明を完成するに至った。
【課題を解決するための手段】
【００１６】
本発明は上記目的を達成するためになされたもので、本発明の請求項１は、上面を開放し、多数の透孔を有する方形の容器からなるカセット本体と、多数の透孔を有し前記カセット本体と着脱自在に係合する蓋体とからなる医療検査用カセットのカセット本体内に、検体を載置した検体載置シートを収容した後、蓋体を被着した状態で薬液処理を施し、前記検体を載置した検体載置シートをトレイ内に置き、該トレイにカセット本体を載せ、カセット本体が液状パラフィンに浸るまで液状パラフィンを注ぎ足し固化させてカセットブロックを作製し、次いで、前記検体載置シートを剥離除去して検体を包埋したカセットブロックとし、これを薄切することを特徴とする医療検査用検体薄片の製造方法を内容とする。
【００１７】
本発明の請求項２は、検体載置シートが液透過性である請求項１記載の医療検査用検体薄片の製造方法を内容とする。
【００１８】
本発明の請求項３は、液透過性の検体載置シートが多孔性フィルム、発泡樹脂シート、紙、織布、不織布から選ばれるる請求項２記載の医療検査用検体薄片の製造方法を内容とする。
【００１９】
本発明の請求項４は、検体載置シートが透明の多孔性フィルムからなる請求項１〜３のいずれか１項に記載の医療検査用検体薄片の製造方法を内容とする。
【００２０】
本発明の請求項５は、検体載置シートが複数個に区画されている請求項１〜４のいずれか１項に記載の医療検査用検体薄片の製造方法を内容とする。
【００２１】
本発明の請求項６は、検体載置シートの上部に液透過性の押さえシートが配備されている請求項１〜５のいずれか１項に記載の医療検査用検体薄片の製造方法を内容とする。
【００２２】
本発明の請求項７は、検体載置シートの上部に液透過性の押さえシートを配備するとともに、下部に支持シートを配備して薬液処理を行う請求項１〜６のいずれか１項に記載の医療検査用検体薄片の製造方法を内容とする。
【００２３】
本発明の請求項８は、液透過性の押さえシートが発泡樹脂シート、紙、多孔性シート、織布、不織布から選ばれる請求項６又は７記載の医療検査用検体薄片の製造方法を内容とする。
【００２４】
本発明の請求項９は、支持シートが紙、多孔性フィルム、織布、不織布、発泡樹脂シートから選ばれる請求項７記載の医療検査用検体薄片の製造方法を内容とする。
【００２５】
本発明の請求項１０は、検体を載置した検体載置シートをトレイ内に置く前に、予め少量の液体パラフィンをトレイ内に入れておく請求項１〜９のいずれか１項に記載の医療検査用検体薄片の製造方法を内容とする。
【００２６】
本発明の請求項１１は、検体を載置した検体載置シートを支持シートとともにトレイ内に置き、パラフィン内に検体を載置した検体載置シートと支持シートを含むカセットブロックを作製し、次いで、前記検体載置シートと支持シートとを剥離除去して検体を包埋したカセットブロックとし、これを薄切する請求項７記載の医療検査用検体薄片の製造方法を内容とする。
【発明の効果】
【００２７】
本発明の方法によれば、検体を液透過性の検体載置シート上に載置したままの状態でカセット本体内で薬液処理し、また、薬液処理後、カセット作成用のトレイ内に置くので、検体のカセット本体内への移し替え、及び検体のパラフィン上への移し替えが全く不要となり、大巾な省力化と迅速性が達成される。
【００２８】
また、ピンセットで検体を移し替える際における検体を並べる順番、配列のミスや検体の損傷等の虞れが全く無くなるので、検査精度が向上し、検査の信頼性が大巾に高められる。
【００２９】
また、カセットブロックをミクロトームで薄切して医療検査用薄片を製造する際に、カセットブロックから検体載置シート又は検体載置シートと支持シートを剥離除去して薄切するため、検体載置シート又は検体載置シートと支持シートを薄切するという無駄な薄切作業を無くすことができ効率的である。
【００３０】
検体載置シートは、液透過性であることが好ましく、例えば、多孔性フィルム、発泡樹脂シート、紙、織布、不織布が挙げられ、特に透明の多孔性フィルムが好ましく、また、検体載置シートは複数個に区画されているものが好ましい。また、複数個の区画は混同しないように番号や記号が付されているのが好ましい。
【００３１】
また、液透過性の検体載置シートの上部に液透過性の押さえシートを配することにより、薬液処理の際に検体の移動や、検体の方向が変わるのが確実に抑制されるので好ましい。
【００３２】
更に、検体載置シートの下部に支持シートを配すると、検体載置シートが薄くても検体載置シートを介して検体を支え、取り扱いが容易となるばかりでなく、薬液処理時やカセットブロック作製時に、検体載置シートを介して検体を保持し、検体の移動や方向が変わるのを効果的に抑制することができる。
【発明を実施するための最良の形態】
【００３３】
本発明に用いられる検体載置シートとしては、アルコール、キシレン等に対する耐薬品性を有するものであれば特に制限されないが、アルコール、キシレン等の薬液や液状パラフィンを透過させるものが好ましく、また、該シート上に検体を安定的に載置させ、薬液処理の際にも動かないようにするために、表面に微小な凹凸や突起を有するものを用いることもできる。
【００３４】
このような検体載置シートとしては、樹脂からなるフィルム、多孔性フィルム、発泡樹脂シート、濾紙等の紙、織布、不織布等が挙げられ、また必要に応じ、これらの積層体（ラミネート）でもよい。樹脂としては特に制限されず、天然樹脂、合成樹脂、半合成樹脂が用いられ、また生分解性樹脂も使用可能である。検体載置シートとしては、透明なものがミクロトームで薄切する際に検体の位置や状態を視認し易い点で好ましく、ポリエチレン、ポリプロピレン等のポリオレフィン樹脂、ポリアミド樹脂、ポリイミド樹脂、ポリエステル樹脂等が挙げられる。織布、不織布もこれらの樹脂からなるものが挙げられる。
【００３５】
検体載置シートは、複数の検体を載置して同時に処理できるように、複数個の小面積に区画されていることが好ましい。区画は、例えば、上記した薬品に対して耐薬品性を有するインクを用いて印刷したり、成形時に又は後加工により突条筋や凹状溝により形成することができる。区画される小面積の数は２〜９個程度が好ましい。区画には番号や記号等を施して、検体を識別できるようにするのが好ましい。検体載置シートは、カセット本体内に収容できるサイズに予め設定しておくのが望ましい。
【００３６】
本発明に用いられる液透過性の押さえシートは、検体を載置した検体載置シートの上部に配され、薬液を透過させるとともに、上方から検体を押さえて薬液処理時に検体が移動するのを防止するためのもので、上記した検体載置シートと同じ材料でよい。区画は不要である。
【００３７】
本発明に用いられる支持シートは、検体を載置した検体載置シートの下部に配され、検体載置シートを下方から支持するもので液透過性を有するものが好ましく、上記した押さえシートと同じ材料のものが使用できる。支持シートを検体載置シートとともに包埋してカセットブロックを作製する場合は、検体の視認性の点から、透明の多孔性フィルムが好ましい。この支持シートを用いる場合には、検体載置シートの厚みを小さくすることができる。検体載置シートの厚みが大きいと、後述するミクロトームで薄切する際に、検体載置シートを薄切するという無駄な薄切作業量が多くなるのに対し、検体載置シートの厚みが小さいと、この無駄な薄切作業が少なくなるので効率的に薄切することが可能である。
【００３８】
検体載置シートの厚みは概ね８μｍ〜２ｍｍ、押さえシート及び支持シートは０．５〜５ｍｍ程度が好ましい。検体載置シートの厚みが８μｍ未満では薄くなり過ぎて検体の載置及び薬液処理の際の検体の保持、保護が困難となりやすく、一方、２ｍｍを越えると、上述したように、無駄な薄切作業が多くなるので好ましくない。
【００３９】
また、押さえシートが０．５ｍｍ未満では、薬液処理中における検体の移動を防止する効果が十分でなく、一方、５ｍｍを越えると薬液の透過性が低下し、薬液処理が長くなる傾向があるので好ましくない。
【００４０】
更に、支持シートが０．５ｍｍ未満では、検体載置シートを支持する効果が十分でなく、一方、５ｍｍを越えると薬液の透過性が低下し、薬液処理が長くなる傾向があるので好ましくない。
【００４１】
本発明に用いられるカセットとしては、蓋体とカセット本体とからなるカセットが全て用いられる。
【００４２】
本発明では、検体を検体載置シート上に載置した状態でカセット本体内に収容し、蓋体を被着して薬液処理が施される。この場合、必要に応じ、検体載置シートの上部に液透過性の押さえシートを配することにより、薬液を検体上に透過させるとともに、検体を上方から押さえて薬液処理中に検体が動いたり移動するのを防ぐことができる。また、更に検体載置シートの下部に支持シートを配することにより、検体載置シートを薄くしても該シートを下方から支えるので、薬液処理中に検体が動いたり移動するのを防ぐことができるばかりでなく、支持シートと重ね合わせて検体載置シートを持ち運ぶこともでき、取り扱い性や作業性が高められる。また、検体載置シートに検体を採取する際に、検体載置シートと支持シートとを重ねておけば、カセット本体内への収容も容易である。
【００４３】
薬液処理が終了すると、検体を載置した検体載置シートは、カセットブロックを作製するためにトレイ内に移される。トレイ内には予め少量（液深１〜３ｍｍ程度）の薬液パラフィンを入れておいてもよいし、また、いきなり検体載置シートをトレイ内に置いてもよい。また、検体載置シートを支持シートとともに重ね合わせた状態でトレイ内に置いてもよい。特に、上記したように、検体載置シートが薄い場合、検体載置シートのみでは取り扱いにくいので、支持シートとともに重ね合わせた状態でカセット本体からトレイ内に移すと取り扱いが容易となる。
【００４４】
次いで、検体を載置した検体載置シートの上から液状パラフィンを注ぎ足す。この場合、トレイの段部にカセット本体を置いて、カセット本体が液状パラフィンに浸るまで（カセット本体の底面よりも数ｍｍ上まで）注ぎ足してもよいが、液状パラフィンが冷却固化してカセット本体の透孔を塞ぎ、液状パラフィンの注ぎ足しが困難になる場合がある。従って、先ず、トレイの段部付近まで検体載置シートの上から液状パラフィンを注ぎ足し、次にカセット本体を段部に載せてカセット本体を下方に押圧して液状パラフィンを透孔が埋まる程度に上昇させた後、カセット本体が液状パラフィンに浸るまで注ぎ足し、液状パラフィンを冷却固化させるのが好ましい。
次いで、トレイを加温するか液体窒素等で冷却することにより、検体を載置した検体載置シート又は検体載置シートと支持シートとをパラフィン中に包埋したカセットブロックがトレイから分離される。
【００４５】
次いで、カセットブロックは、検体載置シート又は検体載置シートと支持シートを剥離除去して検体を包埋したカセットブロックとし、これをミクロトームにより薄切して薄片とされる。検体載置シートや支持シートの剥離除去は、加温してパラフィンを少し軟らかい状態として、必要により、加熱したナイフ等を使用して検体をカセットブロックに残すように配慮して行われる。その後は常法によりスライスして薄片を得る。
【００４６】
以上の如くして得られる薄片には、検体がその位置や方向が採取されたときの状態のままで含まれている。薄片は、染色、その他所定の処理が施されて顕微鏡標本とされる。
【実施例】
【００４７】
以下、本発明の実施例を示す図面に基づいて本発明を更に詳細に説明するが、本発明はかかる実施例のみに限定されないことは云うまでもない。
【００４８】
実施例１
（検体の採取）
図１に示すように、バット１３内に敷いた透明の多孔性フィルム（ポリエチレン）からなる検体載置シート２７上に、採取した検体１５を載置する。検体載置シート２７は予めカセット本体内に収容できるサイズに調整され、また耐薬品性のインクを用い、縦線、横線２８で複数個（図では６個）の小面積に区画され、各区画内にそれぞれ１個の検体が載置される。
【００４９】
（薬液処理）
図２〜４に示すように、検体１５を載置した検体載置シート２７は、そのままカセット本体１内に収容された後、検体載置シート２７の上部にポリウレタンからなる押さえシート２９を配した後、蓋体２を取り付け、記録部４に被検者の氏名等を記録しておく。蓋体２の傾斜状係止片９は、カセット本体１の係止溝５に係合し、また係止片１１はカセット本体１の係止部６に係合して蓋体２を固定する。
【００５０】
続いて、透孔７、３を通じて、検体１５を水洗し、次いでアルコールにより検体１５の水分を除去し、キシレンにより後述する液状パラフィンとの親和性を付与する。
この場合は、検体１５を載置した検体載置シートが上部から押さえシート２９により押さえられているので、薬液の流れにより検体１５が移動したり、方向を変えたりすることが確実に防止される。
【００５１】
（カセットブロックの作製）
次に、図５に示すように、ステンレス製トレイ１６内に液状パラフィン１７を少量（図５のラインＡの１ｍｍ程度の深さまで）入れ、検体載置シート２７をカセット本体１から取り出して液状パラフィン１７中に置いて検体１５に液状パラフィンを浸透させる。続いて、トレイ１６の段部よりも少し上まで液状パラフィンを注ぎ該段部にカセット本体１を載せ、カセット本体１を下方に押圧して液状パラフィンで透孔３が隠れる程度となるまでパラフィンを上昇させた後、カセット本体１の底部が液状パラフィン１７に浸るまで（底部よりも３ｍｍ程度上まで）、液状パラフィン１７を注ぎ足す。
【００５２】
液状パラフィン１７が冷却固化した後トレイ１６を加温又は液体窒素で冷却することにより取り去り、検体１５を載置した検体載置シート２７を包埋したパラフィン１７がカセット本体１の底部に付着してなるカセットブロック１８（図６参照）を得る。
【００５３】
（薄片の作製）
次に、図６に示すように、ミクロトーム１９上に装着したアダプター２０の基台２１上にカセットブロック１８を裏返して載せ、固定する。アダプター２０は、レバー２２の操作により、基台２１に設けた固定腕２３と可動腕２４との間にカセット本体１を挟持して固定する。その際、カセット本体１が記録部４の傾斜により浮き上がるのを防止するため、両腕２３、２４の先端に形成した係止爪２５がカセット本体１の底部の角に係合する。
【００５４】
続いて、図７に示すように、検体載置シート２７及び該シート２７上のパラフィンを剥離除去して検体１５をパラフィン中に包埋したカセットブロック１８とし、パラフィン１７の検体１５を包埋した部分を矢印ａ方向にスライスし、目的とする検体１５をスライスした薄片２６を得る（図８）。得られた薄片２６に染色、その他の所定の処理を施すことにより顕微鏡標本を得る。
【００５５】
実施例２
（検体の採取）
図９に示すように、バット１３内に透明の多孔性フィルム（ポリエチレン）からなる検体載置シート２７とポリウレタンからなる支持シート３０を重ね合わせ、該検体載置シート２７の各区画内にそれぞれ１個の検体１５が載置される。
【００５６】
（薬液処理）
図１０〜１２に示すように、検体１５を載置した検体載置シート２７を支持シート３０と重ね合わせたままカセット本体１内に収容し、該検体載置シート２７の上部にポリウレタンからなる押さえシート２９が配された状態とした他は実施例１と同様にして薬液処理される。
この場合は、検体１５を載置した検体載置シートが上部から押さえシート２９により押さえられているので、薬液の流れにより検体１５が移動したり、方向を変えたりすることが確実に防止されるとともに、下部から支持シート３０により支えられているので、検体載置シート２７の厚みを小さくしても検体をしっかりと保持し、薬液処理中に検体が移動したり方向を変えたりするのを防止することができる。
【００５７】
（カセットブロックの作製）（薄片の作製）
図１３、図１４に示すように、押さえシート２９を取り去り、検体１５を載置した検体載置シート２７と支持シート３０とを重ね合わせた状態で、予めトレイ１６内に液状パラフィンを少量入れなかった他は実施例１と同様にして、検体１５を載置した検体載置シート２７と支持シート３０とを包埋したカセットブロックを作成し、図１５に示すように、検体載置シート２７と支持シート３０とを剥離除去して検体１５をパラフィン中に包埋したカセットブロック１８を得、これをミクロトームでスライスして薄片２６を得る（図１６参照）。
【００５８】
上記実施例では、インクで区画された検体載置シートを使用した例を示したが、図１７（ａ）、（ｂ）に示すように、突条筋３１により区画したものでもよい。また、図示しないが、逆に凹条溝により区画したものでもよい。更に、図１８に示すように、複数個の区画が１列に設けられたものでもよいことは勿論である。
【産業上の利用可能性】
【００５９】
叙上のとおり、本発明によれば、検体を液透過性の検体載置シート上に載置したままの状態でカセット本体内で薬液処理し、また、パラフィン上に置くので、検体のカセット本体内への移し替え、及び検体のパラフィン上への移し替えが不要となり、大巾な省力化と迅速性が達成される。
【００６０】
また、ピンセットで検体を移し替える際における検体を並べる順番、配列のミスや検体の損傷等の虞れが無くなるので、検査精度が向上し、検査の信頼性が大巾に高められ、その有用性は頗る大である。
【００６１】
また、カセットブロックをミクロトームで薄切して医療検査用薄片を製造する際に、カセットブロックから検体載置シート又は検体載置シートと支持シートを剥離除去して薄切するため、検体載置シート又は検体載置シートと支持シートを薄切するという無駄な薄切作業を無くすことができ効率的である。
【図面の簡単な説明】
【００６２】
【図１】実施例１における検体の採取の状態を説明するための上面図である。
【図２】実施例１における薬液処理の説明をするためのカセットの縦方向断面図である。
【図３】実施例１における薬液処理の説明をするためのカセットの横方向断面図である。
【図４】実施例１における薬液処理の説明をするための蓋体を取り去ったカセット本体の上面図である。
【図５】実施例１におけるカセットブロックを作製する状態を説明するための断面図である。
【図６】実施例１におけるミクロトームで薄切する状態を示す概略図である。
【図７】実施例１において、検体載置シートを剥離除去した状態を示す概略図である。
【図８】実施例１における薄片を示す上面図である。
【図９】実施例２における検体の採取の状態を説明するための上面図である。
【図１０】実施例２における薬液処理の説明をするためのカセットの縦方向断面図である。
【図１１】実施例２における薬液処理の説明をするためのカセットの横方向断面図である。
【図１２】実施例２における薬液処理の説明をするための蓋体を取り去ったカセット本体の上面図である。
【図１３】実施例２におけるカセットブロックを作製する状態を説明するための断面図である。
【図１４】実施例２におけるミクロトームで薄切する状態を示す概略図である。
【図１５】実施例２において、検体載置シートと支持シートとを剥離除去した状態を示す概略図である。
【図１６】実施例２における薄片を示す上面図である。
【図１７】検体載置シートの他の例を示すもので、（ａ）は上面図、（ｂ）は側面図である。
【図１８】検体載置シートの更に他の例を示す上面図である。
【図１９】医療検査用カセットの１例を示す縦方向断面図である。
【図２０】医療検査用カセットの１例を示す横方向断面図である。
【図２１】従来の検体の採取の状態を説明するための上面図である。
【図２２】従来の薬液処理の説明をするためのカセットの縦方向断面図である。
【図２３】従来の薬液処理の説明をするためのカセットの横方向断面図である。
【図２４】従来の薬液処理の説明をするための蓋体を取り去ったカセット本体の上面図である。
【図２５】従来のカセットブロックを作製する状態を説明するための断面図である。
【図２６】従来のミクロトームで薄切する状態を示す概略図である。
【図２７】従来の薄片を示す上面図である。
【符号の説明】
【００６３】
１  カセット本体
２  蓋体
３  透孔
４  記録部
５  係止溝
６  係止部
７  透孔
８  リブ
８ａ、８ｂ  リブ
９  傾斜状係止片
１０  突縁部
１１  係止片
１２  仕切壁
１３  バット
１４  濾紙
１５  検体
１６  トレイ
１７  パラフィン
１８  カセットブロック
１９  ミクロトーム
２０  アダプター
２１  基台
２２  レバー
２３  固定腕
２４  可動腕
２５  係止爪
２６  薄片
２７  検体載置シート
２８  縦線、横線
２９  押さえシート
３０  支持シート
３１  突条筋
【図１】
2006220588.tif 000003
【図２】
2006220588.tif 000004
【図３】
2006220588.tif 000005
【図４】
2006220588.tif 000006
【図５】
2006220588.tif 000007
【図６】
2006220588.tif 000008
【図７】
2006220588.tif 000009
【図８】
2006220588.tif 000010
【図９】
2006220588.tif 000011
【図１０】
2006220588.tif 000012
【図１１】
2006220588.tif 000013
【図１２】
2006220588.tif 000014
【図１３】
2006220588.tif 000015
【図１４】
2006220588.tif 000016
【図１５】
2006220588.tif 000017
【図１６】
2006220588.tif 000018
【図１７】
2006220588.tif 000019
【図１８】
2006220588.tif 000020
【図１９】
2006220588.tif 000021
【図２０】
2006220588.tif 000022
【図２１】
2006220588.tif 000023
【図２２】
2006220588.tif 000024
【図２３】
2006220588.tif 000025
【図２４】
2006220588.tif 000026
【図２５】
2006220588.tif 000027
【図２６】
2006220588.tif 000028
【図２７】
2006220588.tif 000029